【手続補正書】
【提出日】平成18年5月19日(2006.5.19)
【手続補正１】
【補正対象書類名】明細書
【補正対象項目名】発明の名称
【補正方法】変更
【補正の内容】
【発明の名称】情報処理システム、情報処理装置、およびプログラム
【手続補正２】
【補正対象書類名】明細書
【補正対象項目名】特許請求の範囲
【補正方法】変更
【補正の内容】
【特許請求の範囲】
【請求項１】  予め設定された識別情報を保持するオブジェクトと、
コンテンツを使用する第１の情報処理装置と、
前記第１の情報処理装置に対応して設けられ、前記オブジェクトが保持する前記識別情報を読み取る読み取り装置と
からなる情報処理システムであって、
前記読み取り装置に、前記オブジェクトが載置されているとき、前記第１の情報処理装置において前記コンテンツの使用を可能にする
ことを特徴とする情報処理システム。
【請求項２】  前記第１の情報処理装置とネットワークを介して接続され、
前記識別情報に対応して前記コンテンツの使用を管理する第２の情報処理装置をさらに備え、
前記第１の情報処理装置は、前記読み取り装置により読み取られた前記オブジェクトの前記識別情報を前記ネットワークを介して前記第２の情報処理装置に送信し、
前記第２の情報処理装置は、前記第１の情報処理装置から送信されてきた前記識別情報に基づいて、前記識別情報に対応して前記コンテンツを使用することが許可されているか否かを判定し、前記コンテンツを使用することが許可されていると判定された場合、前記コンテンツの使用を可能にする情報を前記ネットワークを介して前記第１の情報処理装置に送信する
ことを特徴とする請求項１に記載の情報処理システム。
【請求項３】  ネットワークを介して他の情報処理装置と接続される情報処理装置において、
前記他の情報処理装置より、オブジェクトから読み取られた、ユーザを識別するユーザ識別情報を受信するとともに、コンテンツを識別するコンテンツ識別情報を受信する受信手段と、
前記受信手段により受信された前記ユーザ識別情報と前記コンテンツ識別情報に基づいて、前記ユーザ識別情報に対応して前記コンテンツを使用することが許可されているか否かを判定する判定手段と、
前記判定手段により、前記コンテンツを使用することが許可されていると判定された場合、前記コンテンツの使用を可能にする情報を前記ネットワークを介して前記他の情報処理装置に送信する送信手段と
を備えることを特徴とする情報処理装置。
【請求項４】  ネットワークを介して他の情報処理装置と接続される情報処理装置を制御するコンピュータに、
前記他の情報処理装置より、オブジェクトから読み取られた、ユーザを識別するユーザ識別情報を受信するとともに、コンテンツを識別するコンテンツ識別情報を受信する受信ステップと、
前記受信ステップの処理により受信された前記ユーザ識別情報と前記コンテンツ識別情報に基づいて、前記ユーザ識別情報に対応して前記コンテンツを使用することが許可されているか否かを判定する判定ステップと、
前記判定ステップの処理により、前記コンテンツを使用することが許可されていると判定された場合、前記コンテンツの使用を可能にする情報を前記ネットワークを介して前記他の情報処理装置に送信する送信ステップと
を実行させることを特徴とするプログラム。
【請求項５】  ネットワークを介して他の情報処理装置と接続される情報処理装置において、
オブジェクトに記憶されている、ユーザを識別するユーザ識別情報を取得する取得手段と、
前記取得手段により取得された前記ユーザ識別情報を前記ネットワークを介して前記他の情報処理装置に送信し、前記ユーザを認証させる送信手段と、
コンテンツを識別するコンテンツ識別情報を付して、前記コンテンツの使用を前記ネットワークを介して前記他の情報処理装置に要求する要求手段と、
前記送信手段により送信された前記ユーザ識別情報に基づいて、前記他の情報処理装置により前記ユーザが認証され、かつ、前記要求手段による要求に含まれる前記コンテンツ識別情報に基づいて、前記他の情報処理装置により前記ユーザが前記コンテンツを使用するライセンスを有すると判定された場合に、前記他の情報処理装置より前記ネットワークを介して送信されてくる前記コンテンツを受信する受信手段と
を備えることを特徴とする情報処理装置。
【請求項６】  ネットワークを介して他の情報処理装置と接続される情報処理装置を制御するコンピュータに、
オブジェクトに記憶されている、ユーザを識別するユーザ識別情報を取得する取得ステップと、
前記取得ステップの処理により取得された前記ユーザ識別情報を前記ネットワークを介して前記他の情報処理装置に送信し、前記ユーザを認証させる送信ステップと、
コンテンツを識別するコンテンツ識別情報を付して、前記コンテンツの使用を前記ネットワークを介して前記他の情報処理装置に要求する要求ステップと、
前記送信ステップの処理により送信された前記ユーザ識別情報に基づいて、前記他の情報処理装置により前記ユーザが認証され、かつ、前記要求ステップの処理による要求に含まれる前記コンテンツ識別情報に基づいて、前記他の情報処理装置により前記ユーザが前記コンテンツを使用するライセンスを有すると判定された場合に、前記他の情報処理装置より前記ネットワークを介して送信されてくる前記コンテンツを受信する受信ステップと
を実行させることを特徴とするプログラム。
【請求項７】  ネットワークに接続される第１の情報処理装置と、
前記第１の情報処理装置にネットワークを介して接続されるとともに、コンテンツを使用する第２の情報処理装置と
からなる情報処理システムであって、
前記第１の情報処理装置は、
エージェントの存在に関する情報を含むエージェント情報を記憶する記憶手段と、
前記記憶手段に記憶された前記エージェント情報に基づいて、前記第２の情報処理装置における前記コンテンツの利用を制御する制御手段とを備え、
前記第２の情報処理装置は、
前記第１の情報処理装置に対して前記ネットワークを介してアクセスするアクセス手段と、
前記第１の情報処理装置から、前記アクセス手段によるアクセスに対する、前記エージェント情報に基づいた判定結果を受信する受信手段と、
前記受信手段により受信された前記判定結果が、前記エージェントの不在のため、前記コンテンツの利用ができないものである場合、前記エージェントを表すキャラクタを非表示にするか、または不在を表す表示にする表示制御手段と
を備えることを特徴とする情報処理システム。
【請求項８】  コンテンツを利用する他の情報処理装置とネットワークを介して接続される情報処理装置において、
エージェントの存在に関する情報を含むエージェント情報を記憶する記憶手段と、
前記記憶手段に記憶された前記エージェント情報に基づいて、前記他の情報処理装置における前記コンテンツの利用を制御する制御手段と
を備えることを特徴とする情報処理装置。
【請求項９】  コンテンツを利用する他の情報処理装置とネットワークを介して接続される情報処理装置を制御するコンピュータに、
エージェントの存在に関する情報を含むエージェント情報を記憶する記憶ステップと、
前記記憶ステップの処理で記憶された前記エージェント情報に基づいて、前記他の情報処理装置における前記コンテンツの利用を制御する制御ステップと
を実行させることを特徴とするプログラム。
【請求項１０】  他の情報処理装置とネットワークを介して接続される情報処理装置において、
前記他の情報処理装置に対して前記ネットワークを介してアクセスするアクセス手段と、
前記他の情報処理装置から、前記アクセス手段によるアクセスに対する、前記エージェント情報に基づいた判定結果を受信する受信手段と、
前記受信手段により受信された前記判定結果が、前記エージェントの不在のため、前記コンテンツの利用ができないものである場合、前記エージェントを表すキャラクタを非表示にするか、または不在を表す表示にする表示制御手段と
を備えることを特徴とする情報処理装置。
【請求項１１】  他の情報処理装置とネットワークを介して接続される情報処理装置を制御するコンピュータに、
前記他の情報処理装置に対して前記ネットワークを介してアクセスするアクセスステップと、
前記他の情報処理装置から、前記アクセスステップの処理によるアクセスに対する、前記エージェント情報に基づいた判定結果を受信する受信ステップと、
前記受信ステップの処理により受信された前記判定結果が、前記エージェントの不在のため、前記コンテンツの利用ができないものである場合、前記エージェントを表すキャラクタを非表示にするか、または不在を表す表示にする表示制御ステップと
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理システム、情報処理装置、およびプログラムに関し、特に、コンテンツの著作権を保護しつつ、任意の装置で、コンテンツを使用することができるようにした情報処理システム、情報処理装置、およびプログラムに関する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】変更
【補正の内容】
【００３５】
本発明の第３の情報処理装置は、エージェントの存在に関する情報を含むエージェント情報を記憶する記憶手段と、記憶手段に記憶されたエージェント情報に基づいて、他の情報処理装置におけるコンテンツの利用を制御する制御手段とを備えることを特徴とする。
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】００５３
【補正方法】削除
【補正の内容】
【手続補正３９】
【補正対象書類名】明細書
【補正対象項目名】００５４
【補正方法】削除
【補正の内容】
【手続補正４０】
【補正対象書類名】明細書
【補正対象項目名】００５５
【補正方法】変更
【補正の内容】
【００５５】
本発明の第１の情報処理システムにおいては、読み取り装置に、前記オブジェクトが載置されているとき、第１の情報処理装置において前記コンテンツの使用が可能とされる。
【手続補正４１】
【補正対象書類名】明細書
【補正対象項目名】００５６
【補正方法】変更
【補正の内容】
【００５６】
本発明の第１の情報処理装置および第１のプログラムにおいては、他の情報処理装置からコンテンツ識別情報が受信されると、それに基づいて、コンテンツを使用することが許可されているか否かが判定され、許可されていると判定された場合、コンテンツの使用を可能にする情報が、ネットワークを介して、他の情報処理装置に送信される。
【手続補正４２】
【補正対象書類名】明細書
【補正対象項目名】００５７
【補正方法】変更
【補正の内容】
【００５７】
本発明の第２の情報処理装置および第２のプログラムにおいては、オブジェクトに記憶されているユーザ識別情報が取得され、他の情報処理装置に送信される。また、コンテンツ識別情報を付して、コンテンツの使用が他の情報処理装置に要求される。他の情報処理装置によりユーザが認証され、かつ、ユーザが、コンテンツを使用するライセンスを有すると判定された場合、他の情報処理装置よりネットワークを介して送信されてくるコンテンツが受信される。
【手続補正４３】
【補正対象書類名】明細書
【補正対象項目名】００５８
【補正方法】変更
【補正の内容】
【００５８】
本発明の第２の情報処理システムにおいては、第１の情報処理装置が、記憶されたエージェント情報に基づいて、第２の情報処理装置におけるコンテンツの利用を制御し、第２の情報処理装置は、第１の情報処理装置からアクセスに対する判定結果を受信し、判定結果が、エージェントの不在のため、コンテンツの利用ができないものである場合、エージェントを表すキャラクタを非表示にするか、または不在を表す表示にする。
【手続補正４４】
【補正対象書類名】明細書
【補正対象項目名】００５９
【補正方法】変更
【補正の内容】
【００５９】
本発明の第３の情報処理装置および第３のプログラムにおいては、エージェントの存在に関する情報を含むエージェント情報が記憶され、そのエージェント情報に基づいて、他の情報処理装置におけるコンテンツの利用が制御される。
【手続補正４５】
【補正対象書類名】明細書
【補正対象項目名】００６０
【補正方法】変更
【補正の内容】
【００６０】
本発明の第４の情報処理装置および第４のプログラムにおいては、他の情報処理装置からアクセスに対する判定結果が受信され、その判定結果が、エージェントの不在のため、コンテンツの利用ができないものである場合、エージェントを表すキャラクタが非表示にされるか、または不在を表す表示にされる。
【手続補正４６】
【補正対象書類名】明細書
【補正対象項目名】００６１
【補正方法】削除
【補正の内容】
【手続補正４７】
【補正対象書類名】明細書
【補正対象項目名】０４８４
【補正方法】削除
【補正の内容】